(57)【要約】  無線電話（１０）は無線電話通信事業者のネットワーク（２４）上でＤＴＶ信号を受信する。無線電話通信事業者のネットワーク（２４）にはＩＳＤＢ、ＤＭＢ、 ＤＶＢ−Ｈ、ＭｅｄｉａＦｌｏ（商標）や電話のディスプレイにテレビ番組放送を提示するのと同等なものが用いられる。利用者はテレビ番組放送を用いて対話するよう信号を入力でき、そして利用者の信号はＷｉＦｉ、ＷｉＭａｘまたは無線イーサネット（登録商標）のような非電話通信ネットワークを用いて無線で送信される。
2009524377.tif 000002
【特許請求の範囲】
【請求項１】
無線電話通信ネットワーク（２４）上で無線テレビ装置（１０）にＴＶ信号を送信する段階と、
前記装置（１０）において、前記ＴＶ信号に関連する少なくとも一つのテレビ番組との利用者の対話を表す利用者の入力を受信する段階と、
非電話通信無線ネットワーク（２２）上で前記装置（１０）から前記利用者の入力を表す信号を無線で送信する段階と、
を備えるテレビ番組放送を提供するための方法。
【請求項２】
前記ＴＶ信号はデジタルＴＶ信号であって、前記装置（１０）は携帯可能であることを特徴とする請求項１に記載の方法。
【請求項３】
統合デジタル放送サービス（ＩＳＤＢ）を用いて前記ＴＶ信号を受信することを特徴とする請求項１に記載の方法。
【請求項４】
デジタルマルチメディア放送（ＤＭＢ）を用いて前記ＴＶ信号を受信することを特徴とする請求項１に記載の方法。
【請求項５】
デジタルビデオ放送 (ＤＶＢ−Ｈ)を用いて前記ＴＶ信号を受信することを特徴とする請求項１に記載の方法。
【請求項６】
ＣＤＭＡ  ＤＴＶプロトコルを用いて前記ＴＶ信号を受信することを特徴とする請求項１に記載の方法。
【請求項７】
前記非電話通信無線ネットワーク（２２）にはワイヤレス・フェデリティ（ＷｉＦｉ）ネットワークを含むことを特徴とする請求項１に記載の方法。
【請求項８】
前記非電話通信無線ネットワーク（２２）にはワイマックス（ＷｉＭＡＸ）ネットワークを含むことを特徴とする請求項１に記載の方法。
【請求項９】
前記非電話通信無線ネットワーク（２２）には無線イーサネット（登録商標）・ネットワークを含むことを特徴とする請求項１に記載の方法。
【請求項１０】
筐体（１２）と、
前記筐体（１２）内の少なくとも一つの無線ＤＴＶ受信機（１８）であって、統合デジタル放送サービス（ＩＳＤＢ）、デジタルマルチメディア放送（ＤＭＢ）、デジタルビデオ放送(ＤＶＢ−Ｈ)及びＣＤＭＡを中心としたデジタル放送プロトコルからなる群の少なくとも一つのプロトコルによるＤＴＶ信号を受信する前記無線ＤＴＶ受信機（１８）と、
前記筐体（１２）に支持された前記ＤＴＶ信号を表示するためのディスプレイ（１４）と、
前記筐体（１２）内の少なくとも一つのプロセッサ（１６）であって、利用者の入力信号を受信し、前記利用者の入力信号がワイヤレス・フェデリティ（ＷｉＦｉ）、ワイマックス（ＷｉＭＡＸ）及び無線イーサネット（登録商標）からなる群の少なくとも一つプロトコルを用いて無線で送信されるようにする前記プロセッサ（１６）と、
を備える無線電話（１０）。
【請求項１１】
無線電話通信事業者のネットワークからＤＴＶ信号を受信するための手段（２６）と、
前記ＤＴＶ信号がビデオ・ディスプレイ（１４）に表示されるようにするための手段（２６）と、
前記ＤＴＶ信号によって表された番組放送との利用者の対話を表す利用者の信号を受信するための手段（２８）と、
無線電話通信事業者のネットワークではない無線ネットワーク上で前記ＤＴＶ信号によって表された番組放送との利用者の対話を表す信号が無線送信されるようにするための手段（３０）と、
を備えるプロセッサ（１６）。
【発明の詳細な説明】
【技術分野】
【０００１】
本発明は一般にデジタルテレビ（ＤＴＶ）に関する。
【背景技術】
【０００２】
テレビコンテンツは通信会社を中心とした標準規格を用いて携帯電話に提供することができる。その標準規格には、ＧＳＭやＣＤＭＡネットワークのような無線電話通信ネットワーク上の統合デジタル放送サービス（ＩＳＤＢ）、デジタルマルチメディア放送（ＤＭＢ）、デジタルビデオ放送(ＤＶＢ−Ｈ)、ＭｅｄｉａＦＬＯ(商標)などがある。ここでお分かりのように、利用者は無線電話でテレビを見たいと思うだけではなく、テレビ番組で情報交換をすることも期待している。本発明で分かるようにそのような双方向性は利用者によって求められるだけでなく、利用者が製品をオーダーするよう広告に夢中になりクリックすることが可能になることで、コンテンツ提供者は利益を得ることとなる。さらに分かるように、利用者との対話を受信するために電話通信事業者のサポートが得られないまたは求められないという状況が存在する。本発明では、非電話通信無線ネットワークには非電話通信事業者のネットワークを用いることができる。その非電話通信無線ネットワークはワイヤレス・フェデリティ（ＷｉＦｉ）、ワイマックス（一般にＷｉＭＡＸとして知られるＩＥＥＥ  ８０２．１６規格）や無線イーサネット（登録商標）などである。そして、その非電話通信事業者のネットワークはテレビ番組放送と一体となって上記説明した対話を提供するよう用いることができる。
【発明の開示】
【課題を解決するための手段】
【０００３】
本発明の概要
テレビ番組放送を提供するための方法は、無線電話通信ネットワーク上でＴＶ信号を無線テレビ装置に送信し、そして、その装置側でＴＶ信号に関連するテレビ番組との利用者の対話を表す利用者の入力を受信する。方法はまた非電話通信無線ネットワーク上で装置から利用者の入力を表す信号を無線で送信する。実施例を限定しない場合、ＴＶ信号はデジタルＴＶ信号とすることができ、装置は携帯可能とすることができる。
【０００４】
実施例を限定しない場合、電話通信ネットワーク上で統合デジタル放送サービス（ＩＳＤＢ）を用いてＴＶ信号を受信することができる。他の実施例では、電話通信ネットワーク上でデジタルマルチメディア放送（ＤＭＢ）、デジタルビデオ放送(ＤＶＢ−Ｈ)やＭｅｄｉａＦＬＯ(商標)のようなＣＤＭＡ  ＤＴＶプロトコルを用いてＴＶ信号を受信することができる。その一方で、非電話通信無線ネットワークはワイヤレス・フェデリティ（ＷｉＦｉ）ネットワーク、ワイマックス（ＷｉＭＡＸ）ネットワークや無線イーサネット（登録商標）を含むことがでる。
【０００５】
他の側面において、無線電話は無線ＤＴＶ受信機を有する筐体を備える。その無線ＤＴＶ受信機は統合デジタル放送サービス（ＩＳＤＢ）、デジタルマルチメディア放送（ＤＭＢ）、デジタルビデオ放送(ＤＶＢ−Ｈ)やＣＤＭＡを中心としたデジタル放送プロトコルにおいてＤＴＶ信号を受信する。筐体上のビデオ・ディスプレイはＤＴＶ信号を表示する。筐体はまたプロセッサを備え、そのプロセッサは利用者の入力信号を受信し、そして入力信号が無線送信されるようにする。その無線送信ではワイヤレス・フェデリティ（ＷｉＦｉ）、ワイマックス（ＷｉＭＡＸ）や無線イーサネット（登録商標）が用いられる。
【０００６】
もう一つの側面において、プロセッサは無線電話通信事業者のネットワークからＤＴＶ信号を受信するための手段やＤＴＶ信号がビデオ・ディスプレイに表示されるための手段を備える。さらに、プロセッサは、利用者の信号を受信するための手段を備え、その信号はＤＴＶ信号によって表された番組放送との利用者の対話を表す。手段は無線ネットワーク上で利用者の対話を表す信号の無線送信が行われるために備えられ、その無線ネットワークは無線電話通信事業者のネットワークでなくて良い。
【０００７】
本発明の詳細は、その構造及び操作についてともに、図面や、同様の参照記号が同様の部分を意味する添付の図面を参照することにより最も理解することができる。
【発明を実施するための最良の形態】
【０００８】
最初に図１を参照すると、無線電話のような携帯無線デジタルテレビ（ＤＴＶ）装置の全体を１０に示す。装置１０は携帯可能で軽量な筐体１２を備えることができる。その筐体１２はマルチメディア（映像及び／又は音声）ディスプレイ１４を支持し、マルチメディアディスプレイ１４はプロセッサ１６が送信するデータを表示する。データには入力装置１７から利用者が入力した信号を含むことができ、その入力装置１７はキーパッドだけとは限らない。そして、そのデータには無線ＤＴＶ受信機１８からマルチメディア信号も含むことができ、図に示すとおり、無線ＤＴＶ受信機１８はプロセッサ１６と通信する。また、プロセッサ１６はインターネット・プロトコル（ＩＰ）スタック２０と通信し、インターネット２２を用いて以下の開示に従い無線通信を容易に行う。無線通信はまた無線電話通信ネットワークのゲートウェイ２４を用いて無線ＤＴＶ受信機１８の手段により利用可能となる。その無線電話通信ネットワークは符号分割多重アクセス方式（ＣＤＭＡ）ネットワークやＧＳＭネットワークだけとは限らない。以上より当業者なら分かるようように、装置１０は受信機１８でＤＴＶ信号を受信するよう電話通信事業者が有する無線電話通信ネットワークと通信することができ、そして、ＩＰスタック２０を用いて非電話通信ネットワークと通信することもできる。
【０００９】
好ましい非限定的な装置１０の上記アーキテクチャーを考慮して、装置１０が操作できる一つの非限定な方法の説明のために図２に注目する。ブロック２６を開始すると、電話通信事業者のネットワーク（例えばゲートウェイ２４から）から、受信機１８やプロセッサ１６において適切なフォーマットでＤＴＶ信号を受信する。いくつかの実施例では、統合デジタル放送サービス（ＩＳＤＢ）プロトコルを用いてＴＶ信号を受信する。他の実施例では、デジタルマルチメディア放送（ＤＭＢ）やデジタルビデオ放送(ＤＶＢ−Ｈ)を用いてＴＶ信号を受信することができる。さらに他の実施例では、ＭｅｄｉａＦＬＯ(商標)のようなＣＤＭＡ指向のＤＴＶプロトコルを用いてＴＶ信号を受信することができる。そして、プロセッサ１６は信号がディスプレイ１４に表示するようにする。
【００１０】
電話通信事業者のネットワークを用いることなくゲーム、投票、調査、ショッピング、製品の提案、広告、インスタントメッセージなどのようなアプリケーションやサービスを加えた価値の確立をテレビ番組のために可能とする。ブロック２８で、入力装置１７からユーザー入力を受信することができ、そのユーザー入力はディスプレイ１４に表示されたテレビ番組を用いて双方向性に関連することができる。そして、そのユーザー入力はブロック３０でＩＰプロトコルスタック２０を介してインターネット２２に無線送信することができる。ＩＰプロトコルスタック２０は物理層のようなワイヤレス・フェデリティ（ＷｉＦｉ）、ワイマックス（ＷｉＭＡＸ）や無線イーサネット（登録商標）を用いて、伝送制御プロトコル／インターネット・プロトコル（ＴＣＰ／ＩＰ）コネクションを備えることができる。したがって、電話通信事業者のネットワークを用いることなく対話を基礎とするインターネットのための通信チャンネルを提供する。言い換えると、ディスプレイ１４に表示するテレビ番組の放送局に関連するサーバーはインターネットを介して双方向性の信号を受信することができる。
【００１１】
特定の「双方向性携帯無線デジタルテレビ」はここで完全に示し、詳細に説明した。本発明の範囲は添付の請求項のみによって制限される。
【図面の簡単な説明】
【００１２】
【図１】本発明双方向性無線デジタル携帯テレビ（ＤＴＶ）の概念図。
【図２】無線電話のプロセッサ内のロジック回路によって全部または一部に実装することができるロジックの非限定的な例のフローチャート。
【図１】
2009524377.tif 000003
【図２】
2009524377.tif 000004
【国際調査報告】
2009524377.tif 000005